(57)【特許請求の範囲】
【請求項１】
基端側をシートフレームのサイドブラケットに取り付けると共に、先端側をシートの側端より上方に引き出し、アンカー掛止め用のバックルを先端側に取り付けたバックルベルトを備えると共に、バックルベルトを含むサイドブラケットをアウターカバーで被包するシートベルト付き自動車用シートにおいて、
片端部を前記サイドブラケットの前面に取り付け、他端部を前記サイドブラケットの側面に取り付け、前記サイドブラケットより前方方向に延びる湾曲部を有する金具を備え、前記バックルベルトを前記サイドブラケットより前方方向に延びる前記金具に挿通させて前記サイドブラケットに前記金具で保持したことを特徴とするシートベルト付き自動車用シート。
【請求項２】
前記シートにおけるシートバックの表皮に取り付けて環状のゴムバンドを前記金具の上方に備え、前記バックルベルトを前記ゴムバンドの環内に挿通させて前記ゴムバンドで保持したことを特徴とする請求項１に記載のシートベルト付き自動車用シート。
【発明の詳細な説明】
【技術分野】
【０００１】
本発明は、シートベルトを備える自動車用シートに関するものである。
【背景技術】
【０００２】
自動車用シートにおいては、基端側をシートフレームのサイドブラケットに取り付けると共に、先端側をシートの側端より上方に引き出し、アンカー掛止め用のバックルを先端側に取り付けたバックルベルトを有するシートベルトが備え付けられている。このシートベルトの着用は、車内の所定個所より引き出されるシートベルトのアンカーをバックルに掛け止めることにより行われる。
【０００３】
一般に、バックルベルトを取り付けるサイドブラケットはアウターカバーで被包されている。そのバックルベルトを含むサイドブラケットをアウターカバーにて被包する際に、バックルベルトがサイドブラケットよりぶら下がった状態にあると、アウターカバーの取付け作業が極めて煩雑となる。
【０００４】
また、バックルベルトがサイドブラケットより長くぶら下がっていると、バックルがシートの下方に位置することになり、シートベルトの着用時に、アンカーをバックルの掛止め口に差込む作業が煩雑となるばかりでなく、スライド式のシートにあっては、バックルがぶらついて、横に配置された他のシートに当たり、当該他のシートのスライド移動の妨げとなる虞れがある。
【発明の開示】
【発明が解決しようとする課題】
【０００５】
本発明は、バックルベルトがアウターカバーで被包するサイドブラケットより垂れ下がらないようにバックルベルトをサイドブラケットで保持すること課題とする。
【課題を解決するための手段】
【０００６】
本願の請求項１に係る発明は、基端側をシートフレームのサイドブラケットに取り付けると共に、先端側をシートの側端より上方に引き出し、アンカー掛止め用のバックルを先端側に取り付けたバックルベルトを備えると共に、バックルベルトを含むサイドブラケットをアウターカバーで被包するシートベルト付き自動車用シートにおいて、
片端部を前記サイドブラケットの前面に取り付け、他端部を前記サイドブラケットの側面に取り付け、前記サイドブラケットより前方方向に延びて前記サイドブラケットの側面より前面に曲がる湾曲部を有する金具を備え、前記バックルベルトを前記サイドブラケットより前方方向に延びる前記金具に挿通させて前記サイドブラケットに前記金具で保持したことを特徴とする。
【０００７】
本願の請求項２に係る発明は、前記シートにおけるシートバックの表皮に取り付けて環状のゴムバンドを前記金具の上方に備え、前記バックルベルトを前記ゴムバンドの環内に挿通させて前記ゴムバンドで保持したことを特徴とする。
【発明の効果】
【０００８】
本願の請求項１に係る発明においては、バックルベルトと共に、バックルベルトを挿通する金具をサイドブラケットに取り付けるため、隣横に配置される他のシートとの干渉を抑えることができる。
【０００９】
本願の請求項２に係る発明においては、シートバックの表皮に取り付けて環状のゴムバンドを金具の上方に備え、バックルベルトを環内に挿通させてゴムバンドで保持したことから、アウターカバーの取付け作業をより簡単に行うことができる。
【発明を実施するための最良の形態】
【００１０】
図示実施の形態は、シートベルトを-スライド式の自動車用シートに備えるものとして構成されている。図１はアームレスト埋込み式のベンチシートＡを示す斜視図であり、図２は同ベンチシートＡを示す側面図である。
【００１１】
図示実施の形態に係る自動車用シートのシートベルトは、ベンチシートＡの第一のシートクッション部Ａ１と第二のシートクッション部Ａ２との間から引き出されたアンカーベルト（図示せず）と、そのアンカーベルトの先端側に装着されたアンカー（図示せず）と、第二のシートクッション部Ａ２の側部より引き出されたバックルベルト１と、そのバックルベルト１の先端側に装着されたアンカー掛止め用のバックル２とを有し、第二のシートクッション部Ａ２に着座する乗員用として備え付けられている。
【００１２】
バックルベルト１は、基端側がシートフレームのサイドブラケットＢに取り付けられ、サイドブラケットＢを被包するアウターカバーＣを介して外方に引き出されている。そのバックルベルト１には、アンカー掛止め用のバックル２が外方へ引き出されたベルト先端側に装着されている。
【００１３】
サイドブラケットＢには、両端部をサイドブラケットＢに固着することから、略Ｕ字状の棒状金具３が取付け固定されている。その棒状金具３としては、片端部をサイドブラケットＢの前面に取り付け、他端部をサイドブラケットＢの側面に取り付け、サイドブラケットＢより前方方向に延びてサイドブラケットＢの側面より前面に曲がる湾曲部を有するものが取付け固定されている。バックルベルト１は、棒状金具３に挿通させることにより、サイドブラケットＢに金具３であてがい保持されている。
【００１４】
これにより、バックルベルト１を含むサイドブラケットＢをアウターカバーＣで被包するに、バックルベルト１がぶらつかないので、アウターカバーＣの取付け作業を簡単に行えるようになる。また、バックルベルト１を棒状金具３でサイドブラケットＢにあてがい保持することにより、バックル２が下方に垂れ下がらないようにできるので、シートベルトを着用する際に、アンカーをバックル２の掛止め口２ａに簡単に差込むことができる。
【００１５】
それと共に、サイドブラケットＢより前方方向に延びてサイドブラケットＢの側面より前面に曲がる棒状金具３をバックルベルト１の挿通部とするため、バックル２がシートＡやシートＡの横に並列配置された別のスライドシート（図示せず）に当たり、当該別のシートのスライド移動の妨げとなるようなこともない。
【００１６】
上述した構成に加えて、シートバックの表皮に取り付けて環状のゴムバンド４を金具３の上方に備え、バックルベルト１を環内に挿通させてゴムバンド４で保持することから、バックルベルト１を座面側に向けて引張り保持させるよう構成できる。この場合には、バックルベルト１が環状ゴムバンド４で座面側に向けて引張り保持されるため、アウターカバーＣの取付け作業を更に簡単に行えるようになる。
【００１７】
それと共に、バックルベルト１をゴムバンド４で座面側に向けて引張り保持することにより、アンカーを掛け止めるバックル２の掛止め口２ａが上方に向けられた状態となるため、シートベルトを着用する際に、アンカーをバックル２の掛止め口２ａに更に簡単に差込むことができるようになる。
【００１８】
図１中の符号Ｒは、シートクッション部Ａ２に対応のシートバック部Ａ３の内に旋回自在に埋め込み枢支されたアームレストを示す。このアームレストＲは、シートクッション部Ａ２に乗員が誰も着座していない時に、シートバック部Ａ３より旋回させて引き出すことから、シートクッション部Ａ１に着座している乗員のアームレストとして使用することができる。
【００１９】
図示実施の形態はベンチシートに基づいて説明したが、通常のシートに適用することができる。また、スライド式自動車用シートに基づいて説明したが、固定式自動車用シートに適用することができる。更に、アンカーベルトをシートから引き出すものとして説明したが、シートバックの背後の車両所定個所より引き出すよう備え付けることもできる。
【図面の簡単な説明】
【００２０】
【図１】本発明に係るスライド式自動車用シートを示す斜視図である。
【図２】図１のスライド式自動車用シートを示す側面図である。
【符号の説明】
【００２１】
Ａ            シート
１            バックルベルト
２            バックル
２ａ          アンカーの掛止め口
３            金具
４            環状のゴムバンド
【図１】
0004734548.tif 000002
【図２】
0004734548.tif 000003